(57)【要約】【課題】  火災警報手段の電池切れを示す警報音の停止後も、何らかの形態で電池切れを継続的に確認できるようにすると共に、電池切れ交換の忘れを防止できるようにする。【解決手段】  電池１８で駆動される火災警報手段と、電池１８の出力電圧を検出して電圧検出信号Ｓ２１を出力する電圧検出部２１と、この電圧検出信号Ｓ２１に基づいて警報音鳴動及び表示発光を制御するＣＰＵ２４と、このＣＰＵ２４に対して鳴動停止入力するように操作される警報停止ボタン１９とを備え、ＣＰＵ２４は、電圧検出情報に基づいて電池１８の出力電圧が所定電圧以下であることを検出すると、警報音鳴動及び表示発光の制御を開始し、警報音鳴動及び表示発光の制御開始後に警報停止ボタン１９から鳴動停止入力が有ったとき、警報音鳴動の制御を中止し、かつ、表示発光の制御を継続するものである。【選択図】        図２
2007249286.tif 000002
【特許請求の範囲】
【請求項１】
電池で駆動される火災警報手段と、
前記電池の出力電圧を検出して電圧検出情報を出力する検出手段と、
前記検出手段から出力される電圧検出情報に基づいて警報音鳴動及び表示発光を制御する制御手段と、
前記制御手段に対して鳴動停止を入力するように操作される操作手段とを備え、
前記制御手段は、
前記電圧検出情報に基づいて前記電池の出力電圧が所定電圧以下であることを検出すると、前記警報音鳴動及び前記表示発光の制御を開始し、前記警報音鳴動及び前記表示発光の制御開始後に前記操作手段から鳴動停止が入力されると、前記警報音鳴動の制御を中止し、かつ、前記表示発光の制御を継続することを特徴とする火災警報器。
【請求項２】
電池で駆動される火災警報手段と、
前記電池の出力電圧を検出して電圧検出情報を出力する検出手段と、
前記検出手段から出力される電圧検出情報に基づいて警報音鳴動を制御する制御手段と、
前記制御手段に対して鳴動停止を入力するように操作される操作手段とを備え、
前記制御手段は、
前記電圧検出情報に基づいて前記電池の出力電圧が所定電圧以下であることを検出すると、前記警報音鳴動及び前記表示発光の制御を開始し、前記警報音鳴動及び前記表示発光の制御開始後に前記操作手段から鳴動停止が入力されると、前記警報音鳴動の制御を中止すると共に表示発光の制御を開始することを特徴とする火災警報器。
【発明の詳細な説明】
【技術分野】
【０００１】
この発明は、電池切れ警報機能を搭載したバッテリー駆動方式の火災警報器に関する。詳しくは、火災警報手段を駆動する電池の電圧検出情報に基づいて警報音鳴動及び表示発光を制御する制御手段を備え、鳴動停止が入力されると、警報音鳴動の制御を中止し、かつ、表示発光の制御を継続して、警報音の停止後も、表示発光により電池切れを継続的に確認できるようにすると共に、電池切れ交換の忘れを防止できるようにしたものである。
【背景技術】
【０００２】
近年、バッテリー駆動方式の火災警報器が使用される場合が多くなってきた。火災警報器に電池電源を採用した場合に、住宅や家庭内において、２年乃至１０年と長い間火災を監視することになる。このため、電池電圧が低下（降下）した場合に、検知手段やブザー等の駆動が正常にできなくなる。因みに、電池交換を適切に促すためには、電池切れの報知手段を１瞬たりとも、停止させない方が効果的である。
【０００３】
この種の火災警報器によれば、電池切れを報知する手段を設け、電池電圧の低下を検出して、電池交換を促すことにより、火災を正常に検知及び報知できるようになっている。例えば、電池切れ警報が夜間就寝した時点で発生した場合、新しい電池と交換すると警報音を停止できる構成になっている。
【０００４】
また、既存の火災警報器によれば、電池切れが発生した場合、少なくとも、３日間は電池切れ状態で火災警報を正常に発することができる規格に設定されている。従って、夜間に直ぐに電池を交換しなくても済む構成になっている。
【０００５】
このような電池切れを警報する火災警報器に関連して、特許文献１には電圧監視機能を有した火災警報器が開示されている。この火災警報器によれば、電圧監視回路、電圧低下警報回路、警報器駆動回路、警報器及び限時タイマを備え、電圧監視回路は、火災検出回路、火災判断回路等を駆動させるための電池電源の電圧を検出する。電圧低下警報回路は、電圧検出値が所定値以下となる場合に、警報信号を発生する。警報器駆動回路は、警報信号に基づいて警報器を間欠的に駆動する。限時タイマは、電圧低下警報が不要な時間（期間）が設定された場合に、その時間帯（期間）だけ警報器への電源供給を停止するようになされる。このように構成すると、電池電源の電圧低下を報知できると共に、電池電源の寿命が延びるというものである。
【０００６】
【特許文献１】特許公報第３４６５１７５号（第３頁  図１）
【発明の開示】
【発明が解決しようとする課題】
【０００７】
しかしながら、バッテリー駆動方式の火災警報器によれば、次のような問題がある。
【０００８】
ｉ．電池切れ警報が夜間の就寝した時点で発生した場合、夜間に直ぐに電池を交換しないと、警報音がうるさくて眠れないという事態を招いてしまう。
【０００９】
ii．特許文献１に見られるような火災警報器によれば、電池電源の電圧低下を報知できても、電池切れ警報を停止する手段が設けられておらず、また、限時タイマをその手段に代用したとしても、例えば、朝方になって、限時タイマが動作していてブザーが停止していたのでは、電池交換を忘れてしまうおそれがある。
【００１０】
iii．また、火災警報器を複数設置した場合であって、電池切れ警報を停止する手段を設けた場合であって、その手段により警報を停止した後に、電池交換をしようとしても、どの火災警報器が電池切れなのかが分からない。因みに、限時タイマによる自動再開まで電池切れの火災警報器が分からない状態に陥る。
【００１１】
そこで、本発明は、上述の課題に鑑み創作されたものであり、電池切れを示す警報音の停止後も、何らかの形態で電池切れを継続的に確認できるようにすると共に、電池切れ交換の忘れを防止できるようにした火災警報器を提供することを目的とする。
【課題を解決するための手段】
【００１２】
本発明に係る第１の火災警報器は、電池で駆動される火災警報手段と、電池の出力電圧を検出して電圧検出情報を出力する検出手段と、この検出手段から出力される電圧検出情報に基づいて警報音鳴動及び表示発光を制御する制御手段と、この制御手段に対して鳴動停止を入力するように操作される操作手段とを備え、制御手段は、電圧検出情報に基づいて電池の出力電圧が所定電圧以下であることを検出すると、警報音鳴動及び表示発光の制御を開始し、警報音鳴動及び表示発光の制御開始後に操作手段から鳴動停止が入力されると、警報音鳴動の制御を中止し、かつ、表示発光の制御を継続することを特徴とするものである。
【００１３】
本発明に係る第１の火災警報器によれば、電池で駆動される火災警報手段を備え、検出手段は電池の出力電圧を検出して電圧検出情報を出力する。制御手段は、検出手段から出力される電圧検出情報に基づいて警報音鳴動及び表示発光を制御する。これを前提として、例えば、制御手段は、電圧検出情報に基づいて電池の出力電圧が所定電圧以下であることを検出すると、警報音鳴動及び表示発光の制御を開始し、警報音鳴動及び表示発光の制御開始後に操作手段から鳴動停止が入力されると、警報音鳴動の制御を中止し、かつ、表示発光の制御を継続するようになる。
【００１４】
従って、警報音の鳴動によりユーザが電池切れを確認した後は、操作手段を操作することで、警報音を停止できる。しかも、警報音の停止後も、表示発光により、電池切れを継続的に確認できるので、電池切れ交換の忘れを防止できるようになる。
【００１５】
本発明に係る第２の火災警報器は、電池で駆動される火災警報手段と、電池の出力電圧を検出して電圧検出情報を出力する検出手段と、検出手段から出力される電圧検出情報に基づいて警報音鳴動を制御する制御手段と、制御手段に対して鳴動停止を入力するように操作される操作手段とを備え、制御手段は、電圧検出情報に基づいて電池の出力電圧が所定電圧以下であることを検出すると、警報音鳴動及び表示発光の制御を開始し、警報音鳴動及び表示発光の制御開始後に操作手段から鳴動停止が入力されると、警報音鳴動の制御を中止すると共に表示発光の制御を開始することを特徴とするものである。
【００１６】
本発明に係る第２の火災警報器によれば、電池で駆動される火災警報手段を備え、検出手段は電池の出力電圧を検出して電圧検出情報を出力する。制御手段は、検出手段から出力される電圧検出情報に基づいて警報音鳴動を制御する。これを前提として、例えば、制御手段は、電圧検出情報に基づいて電池の出力電圧が所定電圧以下であることを検出すると、警報音鳴動及び表示発光の制御を開始し、警報音鳴動及び表示発光の制御開始後に操作手段から鳴動停止が入力されると、警報音鳴動の制御を中止すると共に、表示発光の制御を開始するようになる。
【００１７】
従って、警報音の鳴動によりユーザが電池切れを確認した後は、操作手段を操作することで、警報音を停止できる。しかも、警報音の停止後は、表示発光による異常を継続的に確認できるので、電池切れ交換の忘れを防止できるようになる。
【発明の効果】
【００１８】
本発明に係る第１の火災警報器によれば、火災警報手段の電池の電圧検出情報に基づいて警報音鳴動及び表示発光を制御する制御手段を備え、電圧検出情報に基づいて電池の出力電圧が所定電圧以下であることを検出すると、警報音鳴動及び表示発光の制御を開始し、警報音鳴動及び表示発光の制御開始後に操作手段が操作されて鳴動停止が入力されると、警報音鳴動の制御を中止し、かつ、表示発光の制御を継続するようになされる。
【００１９】
この構成によって、警報音の鳴動により電池切れを確認した後は、操作手段を操作することで、警報音を停止できる。しかも、警報音の停止後も、表示発光により電池切れを継続的に確認できるので、電池切れ交換の忘れを防止できるようになる。また、火災警報器を複数設置した場合においても、電池交換対象となった火災警報器を再現性良く識別できるようになる。
【００２０】
本発明に係る第２の火災警報器によれば、火災警報手段の電池の電圧検出情報に基づいて警報音鳴動を制御する制御手段を備え、電圧検出情報に基づいて電池の出力電圧が所定電圧以下であることを検出すると、警報音鳴動及び表示発光の制御を開始し、警報音鳴動及び表示発光の制御開始後に操作手段が操作されて鳴動停止が入力されると、警報音鳴動の制御を中止すると共に表示発光の制御を開始するようになされる。
【００２１】
この構成によって、警報音の鳴動により電池切れを確認した後は、操作手段を操作することで、警報音を停止できる。しかも、警報音の停止後は、表示発光による異常を継続的に確認できるので、電池切れ交換の忘れを防止できるようになる。また、第１の火災警報器と同様にして電池交換対象の火災警報器を再現性良く識別もできるようになる。
【発明を実施するための最良の形態】
【００２２】
以下、図面を参照しながら、この発明の実施の形態に係る火災警報器について説明をする。
【実施例１】
【００２３】
図１は、本発明に係る各実施例としての火災警報器の構成例を示す一部破断の斜視図である。  
図１に示す火災警報器１００は、電池電源を利用し、熱や煙等を検知して火災警報を発生するものである。例えば、熱感知式の火災警報器１００は、所定形状の本体ケース１１を有している。本体ケース１１は、例えば、樹脂成型により形成され、同軸異径円柱状（帽子：ハット状）を成している。本体ケース１１の座部には不図示の金属又は硬質樹脂製の取付基台が設けられる。取付基台は、火災検知が必要な部屋の天井面に取り付けられる。取付基台には本体ケース１１が覆い被さるように取り付けられる。本体ケース１１の内部の底板１２には、プリント配線基板等の制御基板１３が取り付けられる。
【００２４】
制御基板１３には火災警報手段の一例を構成する熱感知式の火災検知部１４や、ＩＣ装置１５、ブザー１６、発光素子（以下ＬＥＤ１７という）等が取り付けられ、熱を検知して火災検知信号Ｓ１４を処理するようになされる。例えば、ＩＣ装置１５は、火災検知部１４から火災検知信号Ｓ１４を入力して火災警報処理を実行する。火災検知部１４には熱を検知するサーミスタが使用される。煙感知式の火災警報器の場合、火災検知部１４には、煙を検知する光学素子（発光素子及び受光素子）が使用される。
【００２５】
これらの火災検知部１４や、ＩＣ装置１５、ブザー１６、ＬＥＤ１７等の負荷回路には図示しない電源線が接続される。電源線には電池１８が接続され、上述の負荷回路へ直流電源を供給するようになされる。電池１８にはアルカリ電池やリチウム電池等が使用される。
【００２６】
本体ケース１１の所定の部位には警報停止ボタン１９が取り付けられ、電池切れ発報時に、ブザー１６の鳴動を止められるようになっている。警報停止ボタン１９は、例えば、操作者の手が届く本体ケース１１の外表面に配置される。警報停止ボタン１９には、下げ紐を利用したプルスイッチ機構のものを使用してもよい。
【００２７】
図２は、火災警報器１００等の制御系の構成例を示すブロック図である。図２に示す火災警報器１００は、火災検知部１４、ブザー１６、ＬＥＤ１７、電池１８、警報停止ボタン１９、制御手段２０、電圧検出部２１及び試験異常検出部２５を有して構成される。制御手段２０はＲＯＭ２２、ＲＡＭ２３及びＣＰＵ２４を有している。火災検知部１４はＣＰＵ２４に接続され、熱や煙等を検知して火災検知信号Ｓ１４をＣＰＵ２４に出力する。火災検知部１４には例えばサーミスタが使用される。
【００２８】
警報停止ボタン１９は操作手段の一例を構成するものであり、警報停止ボタン１９にはスイッチ素子が使用される。この警報停止ボタン１９を構成するスイッチ素子はＣＰＵ２４に接続される。警報停止ボタン１９は、電池切れ発報時に、ブザー１６の鳴動を止める際に操作される。この操作によって、鳴動停止信号Ｓ１９がＣＰＵ２４に出力される。警報停止ボタン１９は、ＣＰＵ２４が警報音鳴動の制御を実行しているとき、ユーザの自由意志によって、当該ＣＰＵ２４に対して鳴動停止を入力するように操作される。
【００２９】
電圧検出部２１は検出手段の一例を構成するものであり、ＣＰＵ２４に接続される。電圧検出部２１は、電池１８の出力電圧を検出して電圧検出情報（以下電圧検出信号Ｓ２１という）をＣＰＵ２４に出力する。ＣＰＵ２４は電圧検出部２１から出力される電圧検出信号Ｓ２１に基づいて警報音鳴動及び表示発光の制御を実行する。例えば、ＣＰＵ２４は、警報停止ボタン１９が操作されて、鳴動停止信号Ｓ１９が入力されると、警報音鳴動の制御を中止し、かつ、表示発光の制御を継続する。
【００３０】
ＲＯＭ２２には電池切れを判別するプログラムや、電池切れモード実行中に、警報停止ボタン１９が操作されたとき、電池切れ停止モードを実行するためのプログラムデータＤｐが格納されている。ＲＡＭ２３はワークメモリとして使用される。例えば、ＲＡＭ２３は、電圧検出部２１から得られる電圧検出情報Ｄ２１を一時記憶したり、設定された電池切れを判別する閾値情報Ｄthをセットする際に使用される。
【００３１】
ブザー１６は火災検知時や電池切れ時等において、駆動電圧Ｖ１６に基づいて警報音を鳴動するものである。ブザー１６による警報音は、例えば７０ｄＢ程度である。ＬＥＤ１７は火災検知時や電池切れ時等において、駆動電圧Ｖ１７に基づいて発光を表示するものである。発光色は例えば赤色である。
【００３２】
電池１８は、ＩＣ装置１５や、ブザー１６、ＬＥＤ１７等の負荷回路に直流電源を供給するもので、電池切れ時に交換可能となされている。この例では、電池１８がセットされることで電源がオンされる。
【００３３】
ＣＰＵ２４は、電圧検出信号Ｓ２１に基づいて電池切れを判別する。例えば、電圧検出部２１から出力される電圧検出信号Ｓ２１をアナログ・デジタル変換処理して電圧検出情報Ｄ２１を得る。その後、ＣＰＵ２４は、電圧検出情報Ｄ２１と、電池切れを判別する閾値情報とを比較する。この結果、ＣＰＵ２４は、電池切れを検出すると、電池切れモードを実行する。電池切れモードとは、電池切れを検出した場合に、警報音の鳴動とＬＥＤ発光を制御する動作をいう。
【００３４】
ＣＰＵ２４は、電池切れモード実行中に、警報停止ボタン１９が操作されると、電池切れ停止モードに移行するようになされる。電池切れ停止モードとは、電池切れモード実行中に、警報停止ボタン１９が押された場合に、警報音の鳴動を停止する動作をいう。
【００３５】
試験異常検出部２５はＣＰＵ２４に接続され、自動試験機能を検出して試験結果情報（以下試験異常検出信号Ｓ２５ともいう）をＣＰＵ２４に出力する。ＣＰＵ２４は、試験異常検出信号Ｓ２５に基づいて自動試験異常モードを実行する。
【００３６】
図３Ａ及びＢは、第１の実施例としての電池切れモード時の報知例を示す動作タイムチャートである。図３Ａに示す警報は、電池切れモード時のブザー１６の動作例である。この例では、電池切れモード時、ブザー１６は０．１秒（図中ｓｅｃで示す）間だけ鳴動した後に、９．９秒間鳴動を停止する。これを繰り返すように動作する。
【００３７】
図３Ｂに示すＬＥＤは、電池切れモード時のＬＥＤ１７の動作例である。この例では、電池切れモード時、ＬＥＤ１７は０．１秒（図中ｓｅｃで示す）間だけ発光した後に、９．９秒間発光を停止する。これを繰り返すように動作する。
【００３８】
このように、電池切れモードではブザー１６が０．１秒間だけ鳴動すると同時にＬＥＤ１７が０．１秒間だけ発光した後に、９．９秒間鳴動を停止し、かつ、ＬＥＤ１７も９．９秒間発光を停止するような鳴動及び表示を繰り返すようになされる。この例では、このような動作パターンを”Ａ”パターンと定義する。
【００３９】
図４Ａ及びＢは、その電池切れ停止モード時の報知例を示す動作タイムチャートである。図４Ａに示す警報は、電池切れ停止モード時のブザー１６の動作例である。この例では、電池切れ停止モード時、ブザー１６には駆動電圧Ｖ１６が印加されることなく鳴動を停止する。
【００４０】
図４Ｂに示すＬＥＤは、電池切れ停止モード時のＬＥＤ１７の動作例である。この例では、電池切れ停止モード時、ＬＥＤ１７は０．１秒（図中ｓｅｃで示す）間だけ発光した後に、９．９秒間発光を停止する。これを繰り返すように動作する。
【００４１】
第１の実施例に係る電池切れ停止モードによれば、駆動電圧Ｖ１６がブザー１６に印加されることなく鳴動を停止している状態で、ＬＥＤ１７が０．１秒間だけ発光した後に、９．９秒間発光を停止する表示間欠動作を繰り返すようになされる。この例では、このような動作パターンを”Ｂ”パターンと定義する。
【００４２】
続いて、火災警報器１００の動作例について説明をする。図５は各実施例としての火災警報器１００等の動作例を示すフローチャートである。図６Ａ及びＢは、火災警報器１００における電池切れモード及び電池切れ停止モード時の動作例を示すフローチャートである。
【００４３】
この例では、火災監視、電池切れ監視及び自動試験異常監視を周期的に繰り返す場合を前提とする。電源は、電池１８が図示しないホルダにセットされることでオンされる。
【００４４】
これらを動作条件にして、電池１８が図示しないホルダにセットされると共に、図５に示すフローチャートのステップＡ１で火災警報器１００は火災を監視する。火災検知部１４が火災を検知した場合は、ステップＡ２に移行してＣＰＵ２４は火災警報モードを実行する。火災警報モードでは、ブザー１６が０．５秒間だけ鳴動すると同時にＬＥＤ１７が０．５秒間だけ発光した後に、０．５秒間だけ鳴動及び発光を停止する。これを３回繰り返す。その後、１．５秒間鳴動を停止し、かつ、ＬＥＤ１７が１．５秒間発光を停止する。これを繰り返すように警報と表示がなされる。このとき、ブザー１６は、例えば、７０ｄＢ以上の警報音を発生する。
【００４５】
ステップＡ１で火災が検知されない場合は、定期的にステップＡ３に移行して電池切れか否かを判別する。この例で、電圧検出部２１は電池１８の出力電圧を検出して電圧検出信号Ｓ２１をＣＰＵ２４に出力する。ＣＰＵ２４は、電圧検出部２１から出力される電圧検出信号Ｓ２１を処理して電圧検出情報Ｄ２１を得る。ＣＰＵ２４は、この電圧検出情報Ｄ２１と、電池切れを判別する閾値情報Ｄthとを比較する。この比較結果で電池切れを検出した場合は、ステップＡ４に移行して電池切れモードを実行する。
【００４６】
例えば、図６Ａに示すフローチャートのステップＢ１で”Ａ”パターンで報知を実行する。この”Ａ”パターンでは、ブザー１６が図３Ａに示したように０．１秒間だけ鳴動すると同時にＬＥＤ１７が０．１秒間だけ発光した後に、９．９秒間鳴動を停止し、かつ、ＬＥＤ１７も９．９秒間発光を停止する。このような鳴動及び表示を繰り返すようになされる。
【００４７】
そして、ステップＢ２で火災警報器１００は火災か否かを監視する。火災を検出した場合に、図５に示したステップＡ２に戻って火災警報モードを実行する。ステップＢ２で火災が検出されない場合、ステップＢ３に移行して停止ボタン１９が押下されたか否かを監視する。停止ボタン１９が押下されない場合は、ステップＢ１に戻って”Ａ”パターンの報知を繰り返すようになされる。停止ボタン１９が押下された場合は、ステップＢ４に移行して電池切れ停止モードを実行する。
【００４８】
電池切れ停止モードでは、図６Ｂに示すフローチャートのステップＣ１で”Ｂ”パターンで報知を実行する。この”Ｂ”パターンでは、図４Ａに示したように駆動電圧Ｖ１６がブザー１６に印加されることなく鳴動を停止する。図４Ｂに示したＬＥＤは０．１秒間だけ発光した後に、９．９秒間発光を停止する。この表示間欠動作を繰り返すようにする。
【００４９】
そして、ステップＣ２で火災か否かを監視する。火災検知部１４が火災を検出した場合は、図５に示したステップＡ２に戻ってＣＰＵ２４は火災警報モードを実行する。火災が検出されない場合は、ステップＣ１に戻って”Ｂ”パターンの報知を繰り返すようになされる。
【００５０】
なお、ステップＡ３で電池切れが検出されない場合は、定期的にステップＡ５に移行して自動試験異常か否かを判別する。自動試験異常を検出した場合に、ステップＡ６に移行して自動試験異常モードを実行する。その後、ステップＡ１に戻る。
【００５１】
このように、第１の実施例としての火災警報器１００によれば、ＣＰＵ２４が電圧検出信号Ｓ２１に基づいて電池１８の出力電圧が所定電圧以下であることを検出すると、”Ａ”パターンで警報音鳴動及び表示発光の制御を開始し、警報音鳴動及び表示発光の制御開始後に警報停止ボタン１９が押下されて鳴動停止がＣＰＵ２４に入力されると、”Ｂ”パターンによる制御を実行することで、警報音鳴動の制御を中止し、かつ、表示発光の制御を継続するようになる。
【００５２】
従って、”Ａ”パターンの警報音の鳴動によりユーザが電池切れを確認した後は、警報停止ボタン１９を操作することで、ブザー１６の鳴動を停止（警報音の停止）でき、停止後、ＣＰＵ２４は、”Ｂ”パターンでＬＥＤ１７による電池切れ報知を実行する。このＬＥＤ１７の表示発光により、電池切れを継続的に報知できるので、電池切れ交換の忘れを防止できるようになる。これにより、火災警報器１００を複数設置した場合において、電池交換対象となった火災警報器１００を再現性良く確認できるようになる。
【実施例２】
【００５３】
図７Ａ及びＢは、第２の実施例としての火災警報器１００’における電池切れモード時の報知例を示す動作タイムチャートである。 
この実施例では、第１の実施例と異なり、火災警報器１００’は、電池切れモード実行時のＬＥＤ１７の発光動作が省略され、電池切れ停止モードが設定されると、ＣＰＵ２４は、警報鳴動を中止してＬＥＤ１７の間欠表示発光を開始するようになされる。なお、火災警報器１００’の構成は、第１の実施例の火災警報器１００と同様であるのでその説明を省略する。
【００５４】
図７Ａに示す警報は、電池切れモード時のブザー１６の動作例である。この例では、電池切れモード時、ブザー１６は０．１秒（図中ｓｅｃで示す）間だけ鳴動した後に、９．９秒間鳴動を停止する。これを繰り返すように動作する。
【００５５】
図７Ｂに示すＬＥＤは、電池切れモード時のＬＥＤ１７の動作例である。この例では、電池切れモード時、ＬＥＤ１７には駆動電圧Ｖ１７が印加されることなく表示発光を停止している。
【００５６】
第２の実施例に係る電池切れモードによれば、ブザー１６が０．１秒間だけ鳴動した後に、９．９秒間鳴動を停止する。このような間欠鳴動を繰り返すようになされる。しかし、ＬＥＤ１７は表示発光を停止している。この例では、このような動作パターンを”Ｃ”パターンと定義する。
【００５７】
図８Ａ及びＢは、その電池切れ停止モード時の報知例を示す動作タイムチャートである。図８Ａに示す警報は、電池切れ停止モード時のブザー１６の動作例である。この例では、電池切れ停止モード時、ブザー１６には駆動電圧Ｖ１６が印加されることなく鳴動を停止する。
【００５８】
図８Ｂに示すＬＥＤは、電池切れ停止モード時のＬＥＤ１７の動作例である。この例では、電池切れ停止モード時、ＬＥＤ１７は０．１秒（図中ｓｅｃで示す）間だけ発光した後に、９．９秒間発光を停止する。これを繰り返すように動作する。
【００５９】
第２の実施例に係る電池切れ停止モードによれば、駆動電圧Ｖ１６がブザー１６に印加されることなく鳴動を停止している状態で、ＬＥＤ１７が０．１秒間だけ発光した後に、９．９秒間発光を停止する表示間欠動作を繰り返すようになされる。この例では、このような動作パターンを”Ｄ”パターンと定義する。
【００６０】
続いて、第２の実施例としての火災警報器１００’の動作例について説明をする。図９Ａ及びＢは、火災警報器１００’における電池切れモード及び電池切れ停止モード時の動作例を示すフローチャートである。
【００６１】
この例でも、第１の実施例と同様にして、図５に示したフローチャートのステップＡ１で火災監視をし、ステップＡ３で電池切れ監視をし、及び、ステップＡ５で自動試験異常監視を周期的に繰り返す場合を前提とする。電池切れは、電圧検出信号Ｓ２１に基づいてＣＰＵ２４が判別する。
【００６２】
これらを動作条件にして、電池１８が図示しないホルダにセットされると共に、図５に示したフローチャートのステップＡ１で火災警報器１００は火災を監視し、ステップＡ３で電池切れかを判別する。その処理内容については、図５で説明しているので、その説明を省略する。第２の実施例でも、電池切れを検出した場合は、ステップＡ４に移行して電池切れモードを実行する。
【００６３】
例えば、図９Ａに示すフローチャートのステップＤ１に移行して”Ｃ”パターンで報知を実行する。この”Ｃ”パターンでは、ブザー１６が図７Ａに示したように０．１秒間だけ鳴動した後に、９．９秒間鳴動を停止する。このような鳴動を繰り返すようになされる。第２の実施例で電池切れモード時のＬＥＤ１７は発光しない。
【００６４】
そして、ステップＤ２で火災警報器１００’は火災を監視する。火災を検出した場合に、図５に示したステップＡ２に戻って火災警報モードを実行する。ステップＤ２で火災が検出されない場合、ステップＤ３に移行して停止ボタン１９が押下されたかを監視する。停止ボタン１９が押下されない場合は、ステップＤ１に戻って”Ｃ”パターンの報知を繰り返すようになされる。停止ボタン１９が押下された場合は、ステップＤ４に移行して電池切れ停止モードを実行する。
【００６５】
電池切れ停止モードでは、図９Ｂに示すフローチャートのステップＥ１で”Ｄ”パターンで報知を実行する。この”Ｄ”パターンでは、図８Ａに示したように駆動電圧Ｖ１６がブザー１６に印加されることなく鳴動を停止する。図８Ｂに示したＬＥＤは０．１秒間だけ発光した後に、９．９秒間発光を停止する。この表示間欠動作を繰り返すようになされる。
【００６６】
そして、ステップＥ２で火災を監視する。火災検知部１４が火災を検出した場合は、図５に示したステップＡ２に戻ってＣＰＵ２４は火災警報モードを実行する。火災が検出されない場合は、ステップＥ１に戻って”Ｄ”パターンの報知を繰り返すようになされる。
【００６７】
なお、ステップＡ３で電池切れが検出されない場合は、第１の実施例と同様にして定期的にステップＡ５に移行して自動試験異常かを判別する。自動試験異常を検出した場合に、ステップＡ６に移行して自動試験異常モードを実行する。その後、ステップＡ１に戻る。
【００６８】
このように、第２の実施例としての火災警報器１００’によれば、ＣＰＵ２４が電圧検出信号Ｓ２１に基づいて電池１８の出力電圧が所定電圧以下であることを検出すると、”Ｃ”パターンで警報音鳴動及び表示発光の制御を開始し、警報音鳴動及び表示発光の制御開始後に警報停止ボタン１９が押下されて鳴動停止がＣＰＵ２４に入力されると、”Ｄ”パターンによる制御を実行することで、警報音鳴動の制御を中止し、かつ、間欠表示発光の制御を開始するようになる。
【００６９】
従って、”Ｃ”パターンの警報音の鳴動によりユーザが電池切れを確認した後は、警報停止ボタン１９を操作することで、ブザー１６の鳴動を停止（警報音の停止）でき、停止後、ＣＰＵ２４は、”Ｄ”パターンでＬＥＤ１７による電池切れ報知を実行する。このＬＥＤ１７の間欠表示発光により、第１の実施例と同様にして電池切れを継続的に報知できるので、電池切れ交換の忘れを防止できるようになる。これにより、火災警報器１００’を複数設置した場合において、電池交換対象となった火災警報器１００’を再現性良く確認できるようになる。
【産業上の利用可能性】
【００７０】
本発明は、電池切れ警報機能を搭載したバッテリー駆動方式の火災警報器に適用して極めて好適である。
【図面の簡単な説明】
【００７１】
【図１】本発明に係る各実施例としての火災警報器１００，１００’の構成例を示す斜視図である。
【図２】火災警報器１００等の制御系の構成例を示すブロック図である。
【図３】（Ａ）及び（Ｂ）は、第１の実施例としての電池切れモード時の報知例を示す動作タイムチャートである。
【図４】（Ａ）及び（Ｂ）は、その電池切れ停止モード時の報知例を示す動作タイムチャートである。
【図５】各実施例としての火災警報器１００等の動作例を示すフローチャートである。
【図６】（Ａ）及び（Ｂ）は、火災警報器１００における電池切れモード及び電池切れ停止モード時の動作例を示すフローチャートである。
【図７】（Ａ）及び（Ｂ）は、第２の実施例としての火災警報器１００’における電池切れモード時の報知例を示す動作タイムチャートである。
【図８】（Ａ）及び（Ｂ）は、その電池切れ停止モード時の報知例を示す動作タイムチャートである。
【図９】（Ａ）及び（Ｂ）は、火災警報器１００’における電池切れモード及び電池切れ停止モード時の動作例を示すフローチャートである。
【符号の説明】
【００７２】
１１・・・本体ケース、１２・・・底板、１３・・・制御基板、１４・・・火災検知部、１５・・・ＩＣ装置、１６・・・ブザー、１７・・・ＬＥＤ、１８・・・電池、１９・・・警報停止ボタン、２０・・・制御手段、２１・・・電圧検出部、２２・・・ＲＯＭ、２３・・・ＲＡＭ、２４・・・ＣＰＵ、１００，１００’・・・火災警報器
【図１】
2007249286.tif 000003
【図２】
2007249286.tif 000004
【図３】
2007249286.tif 000005
【図４】
2007249286.tif 000006
【図５】
2007249286.tif 000007
【図６】
2007249286.tif 000008
【図７】
2007249286.tif 000009
【図８】
2007249286.tif 000010
【図９】
2007249286.tif 000011
【手続補正書】
【提出日】平成19年6月6日(2007.6.6)
【手続補正１】
【補正対象書類名】特許請求の範囲
【補正対象項目名】請求項２
【補正方法】変更
【補正の内容】
【請求項２】
電池で駆動される火災警報手段と、
前記電池の出力電圧を検出して電圧検出情報を出力する検出手段と、
前記検出手段から出力される電圧検出情報に基づいて警報音鳴動及び表示発光を制御する制御手段と、
前記制御手段に対して鳴動停止を入力するように操作される操作手段とを備え、
前記制御手段は、
前記電圧検出情報に基づいて前記電池の出力電圧が所定電圧以下であることを検出すると、前記警報音鳴動の制御を開始し、前記警報音鳴動の制御開始後に前記操作手段から鳴動停止が入力されると、前記警報音鳴動の制御を中止すると共に前記表示発光の制御を開始することを特徴とする火災警報器。
【手続補正２】
【補正対象書類名】明細書
【補正対象項目名】０００２
【補正方法】変更
【補正の内容】
【０００２】
近年、バッテリー駆動方式の火災警報器が使用される場合が多くなってきた。火災警報器に電池電源を採用した場合に、住宅や家庭内において、２年乃至１０年と長い間火災を監視することになる。このため、電池電圧が低下（降下）した場合に、検知手段やブザー等の駆動が正常にできなくなる。因みに、電池交換を適切に促すためには、電池切れの報知手段を一瞬たりとも、停止させない方が効果的である。
【手続補正３】
【補正対象書類名】明細書
【補正対象項目名】０００３
【補正方法】変更
【補正の内容】
【０００３】
この種の火災警報器によれば、電池切れを報知する手段を設け、電池電圧の低下を検出して、電池交換を促すことにより、火災を正常に検知及び報知できるようになっている。更に、電池切れ警報が夜間就寝した時点で発生した場合、新しい電池と交換すると警報音を停止できる構成になっている。
【手続補正４】
【補正対象書類名】明細書
【補正対象項目名】００１５
【補正方法】変更
【補正の内容】
【００１５】
本発明に係る第２の火災警報器は、電池で駆動される火災警報手段と、電池の出力電圧を検出して電圧検出情報を出力する検出手段と、検出手段から出力される電圧検出情報に基づいて警報音鳴動及び表示発光を制御する制御手段と、制御手段に対して鳴動停止を入力するように操作される操作手段とを備え、制御手段は、電圧検出情報に基づいて電池の出力電圧が所定電圧以下であることを検出すると、警報音鳴動の制御を開始し、警報音鳴動の制御開始後に操作手段から鳴動停止が入力されると、警報音鳴動の制御を中止すると共に表示発光の制御を開始することを特徴とするものである。
【手続補正５】
【補正対象書類名】明細書
【補正対象項目名】００１６
【補正方法】変更
【補正の内容】
【００１６】
本発明に係る第２の火災警報器によれば、電池で駆動される火災警報手段を備え、検出手段は電池の出力電圧を検出して電圧検出情報を出力する。制御手段は、検出手段から出力される電圧検出情報に基づいて警報音鳴動及び表示発光を制御する。これを前提として、例えば、制御手段は、電圧検出情報に基づいて電池の出力電圧が所定電圧以下であることを検出すると、警報音鳴動の制御を開始し、警報音鳴動の制御開始後に操作手段から鳴動停止が入力されると、警報音鳴動の制御を中止すると共に、表示発光の制御を開始するようになる。
【手続補正６】
【補正対象書類名】明細書
【補正対象項目名】００２０
【補正方法】変更
【補正の内容】
【００２０】
本発明に係る第２の火災警報器によれば、火災警報手段の電池の電圧検出情報に基づいて警報音鳴動及び表示発光を制御する制御手段を備え、電圧検出情報に基づいて電池の出力電圧が所定電圧以下であることを検出すると、警報音鳴動の制御を開始し、警報音鳴動の制御開始後に操作手段が操作されて鳴動停止が入力されると、警報音鳴動の制御を中止すると共に表示発光の制御を開始するようになされる。
【手続補正７】
【補正対象書類名】明細書
【補正対象項目名】００６２
【補正方法】変更
【補正の内容】
【００６２】
これらを動作条件にして、電池１８が図示しないホルダにセットされると共に、図５に示したフローチャートのステップＡ１で火災警報器１００’は火災を監視し、ステップＡ３で電池切れかを判別する。その処理内容については、図５で説明しているので、その説明を省略する。第２の実施例でも、電池切れを検出した場合は、ステップＡ４に移行して電池切れモードを実行する。
【手続補正８】
【補正対象書類名】明細書
【補正対象項目名】００６８
【補正方法】変更
【補正の内容】
【００６８】
このように、第２の実施例としての火災警報器１００’によれば、ＣＰＵ２４が電圧検出信号Ｓ２１に基づいて電池１８の出力電圧が所定電圧以下であることを検出すると、”Ｃ”パターンで警報音鳴動の制御を開始し、警報音鳴動の制御開始後に警報停止ボタン１９が押下されて鳴動停止がＣＰＵ２４に入力されると、”Ｄ”パターンによる制御を実行することで、警報音鳴動の制御を中止し、かつ、間欠表示発光の制御を開始するようになる。